(57)【要約】  【課題】  ディスクの面ブレや使用時の衝撃によるディスクへの傷付きを防止し、かつ偏重心ディスクによる騒音を防止できるディスク装置を提供する。  【解決手段】  保持手段２は、本体１外において保持手段２にディスク３又はカートリッジを載置する搭載位置と、本体１内においてディスク３又はカートリッジを回転駆動する装着位置との間を移動し、シャッターと係合し回動しつつシャッターを開閉するシャッター開閉手段１３と、シャッター開閉手段１３と係合しシャッター開閉手段１３を回動させる回動手段７ｄと、シャッター開閉手段７ｄと係合し保持手段２にディスク３を搭載したときに、ディスク３の装着位置において、シャッター開閉手段１３を保持する待避手段２ｆとを備え、待避手段２ｆがシャッター開閉手段１３を保持した状態において、シャッター開閉手段１３は、ディスク３の外周部３ａより外側の位置に待避している。【選択図】  図４
2005116055.tif 000002
【特許請求の範囲】
【請求項１】
本体と、情報記録媒体であるディスク及び前記ディスクを収納し開閉可能なシャッターを含むカートリッジを収納保持する保持手段と、前記保持手段を移動する移動手段とを備え、
前記保持手段は、前記移動手段により、前記本体外において前記保持手段に前記ディスク又は前記カートリッジを載置する搭載位置と、前記本体内において前記ディスク又はカートリッジを回転駆動する装着位置との間を移動するディスク装置であって、
さらに、前記シャッターと係合し回動しつつ前記シャッターを開閉するシャッター開閉手段と、
前記シャッター開閉手段と係合し前記シャッター開閉手段を回動させる回動手段と、
前記シャッター開閉手段と係合し前記保持手段に前記ディスクを搭載したときに、前記ディスクの装着位置において、前記シャッター開閉手段を保持する待避手段とを備え、
前記待避手段が前記シャッター開閉手段を保持した状態において、前記シャッター開閉手段は、前記ディスクの外周部より外側の位置に待避していることを特徴とするディスク装置。
【請求項２】
前記待避手段は、前記保持手段に設けている請求項１に記載のディスク装置。
【請求項３】
前記シャッター開閉手段は、前記シャッターと係合する先端部と、前記回動手段と摺動しつつ前記先端部と前記シャッターとの係合位置を可変するカム部と、前記待避手段と係合する突起部とを含む請求項１に記載のディスク装置。
【請求項４】
前記待避手段は、前記保持手段が前記ディスクを搭載したときに、前記ディスクの装着位置において、前記シャッター開閉手段の前記突起部と係合している請求項３に記載のディスク装置。
【請求項５】
前記待避手段は、前記保持手段が前記カートリッジを搭載したときに、前記カートリッジの装着位置において、前記シャッター開閉手段と係合しない位置に配置されている請求項１に記載のディスク装置。
【請求項６】
前記保持手段を前記本体に押圧付勢する押圧手段をさらに備えており、前記押圧付勢作用は、前記保持手段が前記ディスク又はカートリッジの前記装着位置にあるときに作用する請求項１に記載のディスク装置。
【請求項７】
前記ディスク及び前記カートリッジを前記保持手段に位置決めするディスク位置決め手段をさらに備えており、前記回動手段は、前記ディスク位置決め手段に設けている請求項１に記載のディスク装置。
【請求項８】
前記ディスク位置決め手段は、弾性部材により前記ディスクの位置決め位置と前記カートリッジの位置決め位置とを移動自在にできる請求項７に記載のディスク装置。
【請求項９】
前記シャッター開閉手段を前記本体に押圧付勢する付勢手段を、前記ディスク位置決め手段に設けた請求項７に記載のディスク装置。
【請求項１０】
前記回動手段は、前記シャッター開閉手段のカム部と係合して前記シャッターが半開きとなる位置に前記シャッター開閉手段を回動させ、前記半開きの位置まで前記シャッター開閉手段が回動した後において、前記回動手段と前記カム部との係合が解除される請求項３に記載のディスク装置。
【発明の詳細な説明】
【技術分野】
【０００１】
本発明は情報を記録又は再生する情報記録媒体であるディスクを、ディスク単体及びカートリッジに収納した状態で、非装着状態から装着状態へ移動するディスク装置に関する。
【背景技術】
【０００２】
従来のディスク装置として、例えば下記特許文献１に提案されたもの（第１の従来例）や、下記特許文献２に提案されたもの（第２の従来例）が知られている。以下、図面を参照しながら説明する。
【０００３】
図９は第１の従来例に係るディスク装置の要部構成を示す平面図、図１０は図９に示したディスク装置の要部の部分断面を含む側面図である。図１１は第２の従来例に係るディスク装置におけるディスク装着状態での要部構成を示す平面図であり、図１１において、図９、１０と同一の部分には同一符号を付してある。
【０００４】
各図において、５１はディスク装置の本体である。５２はトレイであり、トレイ５２は、トレイ５２にディスク５３単体又はカートリッジ５４を載置する搭載位置と、本体５１内においてディスク５３単体又はカートリッジ５４を回転駆動する装着位置との間を移動する。５７は天板であり、クランプアーム５８、オープナ６１を保持している。
【０００５】
６０はクランパであり、クランプアーム５８により駆動され、ディスク５３をディスク装置本体５１のディスクモータ６７に押圧する。５９はクランプアームばねであり、クランプアーム５８の復帰力を発生する。
【０００６】
オープナ６１は、カートリッジ５４のシャッター５５を開閉する手段であり、回動軸６３を中心に回動自在に保持されている。６２はオープナばねであり、オープナ６１に設けられ、ばね掛け用窓６５より突出したばね掛け凸部６４と、天板５７に設けられたばねフック６６との間に支持され、オープナ６１を所定の位置に復帰する。６９は位置決めピンであり、カートリッジ５４の位置決め孔５６と係合し、カートリッジ５４の位置決めを行う。
【０００７】
６８はモータ支持ベースであり、ディスクモータ６７、位置決めピン６９等を保持している。モータ支持ベース６８は、ディスク５３及びカートリッジ５４の非装着状態では傾斜して、ディスク５３及びカートリッジ５４の挿入に対して待避している。一方、ディスク５３及びカートリッジ５４の装着状態においては、ディスク５３又はカートリッジ５４に近づいて水平の状態になるように構成されている。
【０００８】
図１１において、６１ａは、シャッター５５を開閉自在とする先端部であり円柱状に構成されている。６１ｂは、カム部でありトレイ５２に設けられた押圧手段５７ｄと係合してオープナ６１を回動させる。
【特許文献１】特開平９−９１８２４号公報
【特許文献２】特開２００１−２０９９９６号公報
【発明の開示】
【発明が解決しようとする課題】
【０００９】
しかしながら、図９、１０に示した第1の従来例では、ディスク単体５３を装着した場合、オープナ６１は作動しないので、ディスク単体５３の回転駆動の位置においては、オープナ６１はディスク単体５３の記録面上に位置している。
【００１０】
また、図１１に示した第２の従来例では、オープナ６１は押圧手段５７ｄにより途中まで回動されるが、オープナ６１はカートリッジ５４のシャッター５５を移動させるための手段である。このため、ディスク単体５３の回転駆動の位置では、オープナ６１は、ディスク外周部５３ａ側に回動しているものの、従来例１と同様にオープナ６１はディスク単体５３の記録面上に位置していることになる。
【００１１】
したがって、第1、２の従来例の構成では、ディスクの面ブレが大きくなったり、記録再生時に誤って衝撃を与えたりすると、ディスク単体５３のクランプ状態が外れ、オープナ６１の先端部６１ａがディスク単体５３の記録面に衝突し、ディスク記録面に傷をつける等の問題があった。
【００１２】
また、近年、高倍速化ディスク対応のディスク装置が開発されているが、高倍速化に伴い、偏重心ディスク使用時の騒音が問題となっている。
【００１３】
本発明は前記のような従来の問題点を解決するものであり、ディスクの面ブレや使用時の衝撃によるディスクへの傷付きを防止し、かつ偏重心ディスクによる騒音を防止することができるディスク装置を提供することを目的とする。
【課題を解決するための手段】
【００１４】
前記目的を達成するために、本発明のディスク装置は、本体と、情報記録媒体であるディスク及び前記ディスクを収納し開閉可能なシャッターを含むカートリッジを収納保持する保持手段と、前記保持手段を移動する移動手段とを備え、前記保持手段は、前記移動手段により、前記本体外において前記保持手段に前記ディスク又は前記カートリッジを載置する搭載位置と、前記本体内において前記ディスク又はカートリッジを回転駆動する装着位置との間を移動するディスク装置であって、さらに、前記シャッターと係合し回動しつつ前記シャッターを開閉するシャッター開閉手段と、前記シャッター開閉手段と係合し前記シャッター開閉手段を回動させる回動手段と、前記シャッター開閉手段と係合し前記保持手段に前記ディスクを搭載したときに、前記ディスクの装着位置において、前記シャッター開閉手段を保持する待避手段とを備え、前記待避手段が前記シャッター開閉手段を保持した状態において、前記シャッター開閉手段は、前記ディスクの外周部より外側の位置に待避していることを特徴とする。
【発明の効果】
【００１５】
本発明のディスクによれば、待避手段によりシャッター開閉手段をディスク外周部の外側に待避させるようにしたので、面ブレの大きいディスク使用時や、記録再生中に誤って本体に衝撃を加えたときに発生するディスク記録面への傷付きを防止することができる。
【００１６】
また、保持手段のディスク装着位置への移動時において、押圧手段により保持手段を本体に押圧付勢すると共に、ディスク位置決め手段に設けた付勢手段によりシャッター開閉手段も本体に押圧付勢するようにしたので、偏重心ディスク使用時に発生する振動によるビビリ音とかからなる耳障りな騒音をも防止することができる。
【発明を実施するための最良の形態】
【００１７】
本発明は、ディスク単体を装着する場合は、待避手段がシャッター開閉手段を保持した状態において、シャッター開閉手段は、ディスクの外周部より外側の位置に待避しているので、面ブレの大きいディスク使用時や、記録再生中に誤って本体に衝撃を加えたときに発生するディスク記録面への傷付きを防止することができる。
【００１８】
前記本発明のディスク装置においては、前記待避手段は、前記保持手段に設けていることが好ましい。この構成によれば、保持手段の移動に伴って待避手段が移動するので、簡単な構造でディスクの装着位置におけるシャッター開閉手段の保持が可能になる。
【００１９】
また、前記シャッター開閉手段は、前記シャッターと係合する先端部と、前記回動手段と摺動しつつ前記先端部と前記シャッターとの係合位置を可変するカム部と、前記待避手段と係合する突起部とを含むことが好ましい。この構成によれば、突起部とカム部との摺動により、シャッター開閉が可能になり、簡単な構造で、シャッター開閉機構を実現できる。
【００２０】
また、前記待避手段は、前記保持手段が前記ディスクを搭載したときに、前記ディスクの装着位置において、前記シャッター開閉手段の前記突起部と係合していることが好ましい。この構成によれば、簡単な構造で待避手段は、シャッター開閉手段を保持することができる。
【００２１】
また、前記待避手段は、前記保持手段が前記カートリッジを搭載したときに、前記カートリッジの装着位置において、前記シャッター開閉手段と係合しない位置に配置されていることが好ましい。この構成によれば、シャッターを開放する前に待避手段がシャッター開閉手段と係合しないので、シャッターの開閉動作に支障がない。
【００２２】
また、前記保持手段を前記本体に押圧付勢する押圧手段をさらに備えており、前記押圧付勢作用は、前記保持手段が前記ディスク又はカートリッジの前記装着位置にあるときに作用することが好ましい。この構成によれば、振動によるビビリ音による耳障りな騒音をも防止でき、偏重心ディスク使用時に有用である。
【００２３】
また、前記ディスク及び前記カートリッジを前記保持手段に位置決めするディスク位置決め手段をさらに備えており、前記回動手段は、前記ディスク位置決め手段に設けていることが好ましい。この構成によれば、ディスク及びカートリッジを保持手段上に安定して搭載できる。
【００２４】
また、前記ディスク位置決め手段は、弾性部材により前記ディスクの位置決め位置と前記カートリッジの位置決め位置とを移動自在にできることが好ましい。この構成によれば、位置決め手段の移動と一体になって回動手段の位置も変位するので、回動手段とシャッターの開閉手段との摺動によるシャッターの開閉手段の回動量を異なるようにすることができる。このため、カートリッジ搭載時のシャッターの開閉手段の回動量を、ディスク搭載時の回動量より大きくすることができ、待避手段がシャッター開閉手段に係合しないようにでき、シャッターの開閉動作に支障をきたすことがなくなる。
【００２５】
また、前記シャッター開閉手段を前記本体に押圧付勢する付勢手段を、前記ディスク位置決め手段に設けたことが好ましい。この構成によれば、シャッター開閉手段の上下方向のがたつきを防止できる。
【００２６】
また、前記回動手段は、前記シャッター開閉手段のカム部と係合して前記シャッターが半開きとなる位置に前記シャッター開閉手段を回動させ、前記半開きの位置まで前記シャッター開閉手段が回動した後において、前記回動手段と前記カム部との係合が解除されることが好ましい。この構成によれば、シャッターがカートリッジの挿入方向に押圧される分力が十分に小さくなるシャッターの開放動作後半において、カム部と回動手段との係合を解除するので、シャッター開閉手段とシャッターとの係合を十分にとることができ、カートリッジの装着時において、シャッターの開放位置を安定させることができる。
【００２７】
以下、本発明の一実施の形態について図面を参照しながら説明する。図１は、本発明の一実施の形態に係るディスク装置のディスク搭載状態での要部構成を示す平面図、図２は、図１に示したディスク装置の部分断面を含む側面図である。図３は、ディスク装置の保持手段が移動途中における平面図、図４は、図１に示したディスク装置のディスク装着状態での要部構成を示す平面図、図５は、図４に示したディスク装置の部分断面を含む側面図である。
【００２８】
図６は、図１に示したディスク装置のカートリッジ搭載状態での要部構成を示す平面図、図７は図６に示したディスク装置の保持手段が移動途中における平面図、図８は図１に示したディスク装置のカートリッジ装着位置での要部構成を示す平面図である。各図において、同一部分には同一符号を付している。
【００２９】
１はディスク装置の本体である。２は保持手段であり、ディスク３単体及びディスク３を収納したカートリッジ４を収納保持する。以下の説明において、ディスク３というときは、ディスク単体のことであり、カートリッジ４というときは、ディスク単体を収納したカートリッジのことである。図示は省略しているが、モータと歯車等で構成され、保持手段２を本体１の内外に移動させる移動手段を備えている。
【００３０】
移動手段は保持手段２を、保持手段２が本体１の外にあり、保持手段２にディスク３又はカートリッジ４を載置する搭載位置と、本体１内においてディスク３又はカートリッジ４を回転駆動する装着位置との間を移動させることができる。
【００３１】
８は天板であり、クランプアーム９、シャッター開閉手段１３を保持している。１１はクランパであり、クランプアーム９により駆動され、ディスク３又はカートリッジ４内のディスク３を本体１のディスクモータ１８に押圧する。１０はクランプアームばねであり、クランプアーム９の復帰力を発生する。
【００３２】
シャッター開閉手段１３は、略円形状の先端部１３ａ、カム部１３ｂ、突起部１３ｃ、及び凸リブ１３ｆ、１３ｇを備えている。シャッター開閉手段１３は、回動軸１４を中心に回動自在に保持されており、先端部１３ａをカートリッジ４（図６）のシャッター５に係合させてシャッター５を開閉自在にするものである。
【００３３】
１５はオープナばねであり、シャッター開閉手段１３に設けられ、ばね掛け用窓１６より突出したばね掛け凸部１３ｅと、天板８に設けられたばねフック１８との間に支持され、シャッター開閉手段１３を所定の位置に復帰させるものである。
【００３４】
１９はモータ支持ベースであり、ディスクモータ１８、位置決めピン２０等を保持している。２０は位置決めピンであり、カートリッジ４（図６）の位置決め孔６と係合し、カートリッジ４の位置決めを行なう。
【００３５】
モータ支持ベース１９は、図２に示したようなディスク３又はカートリッジ４の搭載位置では、保持手段２の底面から遠ざかるように傾斜して、保持手段２から待避している。ディスク３又はカートリッジ４の装着位置においては、ディスク３又はカートリッジ４に近づいて水平の状態に移動する。
【００３６】
７はディスク位置決め手段であり、保持手段２上に保持されている。ディスク位置決め手段７は、ばねで形成された弾性部材２１を備えている。２ａ、７ａは保持手段２及びディスク位置決め手段７にそれぞれ設けられたばね掛け部であり、弾性部材２１のフック部が引っ掛けられている。
【００３７】
ディスク３を搭載した状態では、図４に示したように、ディスク位置決め手段７は、弾性部材２１の付勢力で保持手段２の凸部２ｂ、２ｃに、爪部７ｂ、７ｃが当接する位置まで移動している。ディスク３は、この状態でディスク位置規制面７ｆで位置決めされ、保持手段２に回転自在に収納される。
【００３８】
カートリッジ４を保持手段２に搭載した場合は、図８に示したように、ディスク位置決め手段７は、カートリッジ挿入方向（矢印ａ方向）に移動している。この移動により、凸部２ｂ、２ｃと爪部７ｂ、７ｃとの係合は解除され、弾性部材２１は矢印ａ方向に圧縮されている。このことにより、カートリッジ４は弾性部材２１の付勢力により保持手段２に位置決めされている。
【００３９】
７ｄは回動手段であり、略円筒状の突起部を形成し、ディスク位置決め手段７に保持されている。回動手段７ｄは、シャッター開閉手段１３のカム部１３ｂと係合することにより、シャッター開閉手段１３に、回動軸１４を中心に回転する力を発生させるものである。
【００４０】
カム部１３ｂの形状は、図７、８に示したように、係合した回動手段７ｄと摺動することによって、先端部１３ａがシャッター５の摺動方向（矢印ｃ、ｄ方向）と直角な面５ａ側と接触して、シャッター５の摺動方向にシャッター開閉手段１３を回動するよう形成されている。
【００４１】
回動手段７ｄは、シャッター５が半開きとなる第１の位置までシャッター開閉手段１３を回動させる。その後、先端部１３ａがシャッター５の摺動方向と平行な面５ｂにも接触し始めると、回動手段７ｄとカム部１３ｂとの係合が外れ、シャッター開閉手段１３はディスク移動手段により回動される。カートリッジ４のシャッター５が完全に開放した状態では、回動手段７ｄはシャッター開閉手段１３の逃げ部１３ｄに位置し、シャッター開閉手段１３とは接触していない。
【００４２】
７ｇは付勢手段であり、天板８側に凸になっている。付勢手段７ｇは、シャッター開閉手段１３の垂れ下がりを防止すると共に、凸部１３ｇを支持し、ディスク３の装着位置において、シャッター開閉手段１３を天板８に押圧し、シャッター開閉手段１３の上下方向のがたつきを防止するものである。
【００４３】
２ｆは待避手段であり、保持手段２に一体的に構成されている。待避手段２ｆは、ディスク３の装着位置において、シャッター開閉手段１３の突起部１３ｃと係合して、シャッター開閉手段１３をディスク外周部３ａの外側に待避させるものである。なお、待避手段２ｆは、カートリッジ４が装着された場合は、突起部１３ｃとは係合することがないので、シャッター５の開閉動作に支障をきたすことはない。
【００４４】
８ｃ、８ｄは、保持手段２を本体１に押圧する押圧手段である。図５に示したように、保持手段２に設けられた凸部２ｄ、２ｅと係合し、保持手段２を本体１に押圧保持している。より具体的には、保持手段２は、本体１に形成されたレール上を水平移動するので、保持手段２は本体１のレールを介して本体１に押圧保持されることになる。
【００４５】
保持手段２が、ディスク３又はカートリッジ４の装着位置から、図２に示したように、矢印ｂ方向に搭載位置へと移動すると、押圧手段８ｃ、８ｄと凸部２ｄ、２ｅとの係合が外れることになる。押圧手段８ｃ、８ｄは、天板８に一体的に構成したが、弾性部材で構成してもよい。
【００４６】
２ｇ、２ｈはディスク位置規制手段７を天面８側に付勢するためのリブであり、天面８側に凸になっており、ディスク位置規制手段７を持ち上げ保持手段２とのガタツキを防止している。
【００４７】
以上のように構成されたディスク装置において、以下その動作をより具体的に説明する。まず、保持手段２にディスク３を搭載した場合の動作について説明する。ディスク３を保持手段２に載置するときは、図１、２のように、保持手段２は、本体１の外側にある。また、モータ支持ベース１９は傾斜しており、保持手段２の底面から遠ざかるように待避している。この状態で、保持手段２はディスク３と共に、本体１内ディスク３の装着位置に向けて水平方向（矢印ａ方向）に移動する。
【００４８】
保持手段２が本体１内に向けて移動すると、回動手段７ｄがシャッター開閉手段１３のカム部１３ｂに当接する。図３はこの状態を示している。この状態から、保持手段２がさらに矢印ａ方向に移動すると、カム部１３ｂが回動手段７ｄの側面上を摺動しつつ、シャッター開閉手段１３は、矢印ｃ方向に回動する。この方向は、保持手段２にカートリッジ４を搭載した場合において、シャッター開閉手段１３がシャッター５を開く方向である。
【００４９】
保持手段２が本体１の奥側にさらに移動すると、待避手段２ｆがシャッター開閉手段１３の突起部１３ｃに当接を開始する。図４に示したディスク３の装着位置においては、回動手段７ｄとカム部１３ｂとの係合は外れているが、待避手段２ｆが突起部１３ｃに当接し、シャッター開閉手段１３を保持している。
【００５０】
図４に示したように、保持手段２がディスク３の装着位置に移動した状態では、シャッター開閉手段１３はディスク外周部３ａの外側に待避し、付勢手段７ｇにより天面８に押圧保持されている。
【００５１】
このとき、図５に示したように、押圧手段８ｃ、８ｄと凸部２ｄ、２ｅとの係合により、保持手段２は本体１に押圧保持されるので、面ブレの大きいディスク３や、偏重心の大きいディスク３が装着されたときに発生する回転時の振動が、シャッター開閉手段１３及び保持手段２に伝わっても、ガタツキによる騒音発生を防止できる。
【００５２】
次に、保持手段２にカートリッジ４を搭載した場合の動作について説明する。図６に示した状態から移動手段により、カートリッジ４を搭載した保持手段２が本体１内に移動（矢印ａ方向）する。保持手段２の移動が進行すると、回動手段７ｄはカム部１３ｂに当接する。この状態を示したのが図７である。この状態は、シャッター開閉手段１３の先端部１３ａが、シャッター５の摺動方向（矢印ｃ、ｄ方向）と直角な面５ａと接触する直前の状態である。
【００５３】
この状態から、保持手段２の移動が進行するにつれて、カム部１３ｂが位置規制手段７ｄの側面上を摺動しつつ、シャッター開閉手段１３は、回動軸１４を中心に回動する。本実施の形態では、シャッター開閉手段１３の先端部１３ａとシャッター５の面５ｂ（摺動方向の面）とが係合する前に、位置規制手段７ｄがシャッター開閉手段１３に係合するようにしている。このことにより、先端部１３ａは、シャッター５の面５ａと係合した状態で、シャッター５の摺動方向と平行な方向にのみ開閉力を作用させながら、シャッター開放動作を継続することになる。この動作により、シャッター５はカートリッジ４に押さえつけられることなく開閉動作を開始することができ、シャッター５の開放時に発生するローディング負荷を軽減すると共に、シャッター５及びカートリッジ４の削れを防止することができる。
【００５４】
図８のカートリッジ装着状態において、保持手段２及びカートリッジ４は完全に本体１内に収納されている。この状態において、カートリッジ４のシャッター５は完全に開放された状態となり、回動手段７ｄは逃げ部１３ｄに位置しオープナ１３とは接触していない。
【００５５】
またこの一連の動作において、待避手段２ｆとシャッター開閉手段１３の突起部１３ｃとの係合よりも、シャッター５とシャッター開閉手段１３との係合が常に先行する為、待避手段２ｆがシャッター開閉手段１３の突起部１３ｃと接触することはなく、図８に示すように、待避手段２ｆは突起部１３ｃから離れている。これは、図１と図６との比較から分かるように、カートリッジ４搭載時は、ディスク位置決め手段７は、弾性部材２１が圧縮され矢印ａ方向に移動し、これと一体に回動手段７ｄも移動しているので、シャッターの開閉手段１３の回動量が、ディスク３搭載時の回動量より大きくなるからである。
【００５６】
次に、カム部１３ｂと回動手段７ｄとはシャッター５の開放動作全体に亘り常に係合させることも可能である。この場合は、開放動作全体に亘り、カートリッジ４は、シャッター開閉手段１３をカートリッジ４の挿入方向に押圧することはない。このため、前記のようなシャッター５の開放時に発生するローディング負荷の軽減や、シャッター５及びカートリッジ４の削れ防止には有利である。その一方で、シャッター開閉手段１３の先端部１３ａとシャッター５との係合が不十分となり、係合が外れシャッター５の開放位置が不安定になるおそれがある。
【００５７】
ここで、前記のように、シャッター開閉手段１３は、回動軸１４を中心として、シャッター５を開放する方向に回動する。このため、仮にシャッター開閉手段１３の先端部１３ａとシャッター５の面５ａ及び面５ｂとが係合した状態で、シャッター開閉手段１３を回動させたとすると、回動が進行するにつれて、シャッター５がカートリッジ４の挿入方向にシャッター開閉手段１３を押圧する分力が小さくなる。
【００５８】
このため、シャッター５の半開きの位置を過ぎると、すなわち開放動作後半においては、シャッター５がカートリッジ４の挿入方向にシャッター開閉手段１３を押圧する分力が十分小さくなる。
【００５９】
したがって、本実施の形態では、シャッター５の半開きの位置までシャッター開閉手段１３が回動した後において、カム部１３ｂと回動手段７ｄとの係合を解除するようにしている。この係合解除後においては、シャッター開閉手段１３の先端部１３ａは、シャッター５の面５ａ、面５ｂの双方に係合することになる。このことにより、ローディング負荷の軽減等を図りつつ、シャッター５の開放位置を安定させることができる。
【００６０】
なお、カム部１３ｂは、シャッター５が開放されたときにできる厚さ方向の空間に位置するため、カートリッジ４と干渉することはない。保持手段２及びカートリッジ４が完全に本体１内に収納されたとき、斜めに傾斜し待避していたモータ支持ベース１９が水平位置に移動する。このとき、カートリッジ４が位置決めピン２０により位置決めされるとともに、カートリッジ４内のディスク３はディスクモータ１８に載置され、クランパ１１により押圧固定される。
【００６１】
カートリッジ４の排出時においては、モータ支持ベース１９が再び斜めに傾斜し待避した後、保持手段２は排出方向（矢印ｂ方向）に水平移動を開始する。保持手段２の移動により、逃げ部１３ｄに位置していた位置規制手段７ｄが徐々にカム部１３ｂとの係合を開始する。保持手段２の排出方向の水平移動がさらに進行すると、シャッター開閉手段１３の先端部１３ａが、シャッター５自身の復帰力とオープナばね１４の復帰力とにより、徐々にカートリッジ４のシャッター５を閉じることになる。シャッター５が閉じられた後、保持手段２はさらに水平方向に移動し、カートリッジ排出位置まで移動することになる。
【産業上の利用可能性】
【００６２】
以上のように本発明によれば、ディスク単体を装着する場合は、待避手段により、カートリッジのシャッター開閉のためのシャッター開閉手段をディスク外周部の外側に待避させるようにしたので、面ブレの大きいディスク使用時や、あるいは記録再生中に誤って本体に衝撃を加えた時に発生するディスク記録面への傷付きを防止することができる。このため、本発明は、ディスク単体とカートリッジの双方を搭載するディスク装置に有用である。
【図面の簡単な説明】
【００６３】
【図１】本発明の一実施の形態に係るディスク装置のディスク搭載時の要部構成を示す平面図
【図２】図１に示したディスク装置の部分断面を含む側面図
【図３】図１に示したディスク装置の保持手段が移動途中における平面図
【図４】図１に示したディスク装置のディスク装着位置における平面図
【図５】図４に示した装置の要部を示す側面図。
【図６】本発明の一実施の形態に係るディスク装置のカートリッジ搭載時の要部構成を示す平面図
【図７】図６に示したディスク装置の保持手段が移動途中における平面図
【図８】図６に示したディスク装置のカートリッジ装着位置におけ平面図
【図９】第１の従来例に係るディスク装置の要部構成を示す平面図
【図１０】図７に示したディスク装置の要部の部分断面を含む側面図
【図１１】第２の従来例に係るディスク装置におけるディスク装着状態での要部構成を示す平面図
【符号の説明】
【００６４】
１  本体
２  保持手段
２ｄ、２ｅ  凸部
２ｆ  待避手段
３  ディスク
４  カートリッジ
５  シャッター
６  位置決め孔
７  ディスク位置決め手段
７ｇ  付勢手段
８  天板
８ｃ、８ｄ  押圧手段
９  クランプアーム
１１  クランパ
１３  シャッター開閉手段
１３ｃ  突起部
１４  回動軸
１８  ディスクモータ
１９  モータ支持ベース
２０  位置決めピン
２１  弾性部材
【図１】
2005116055.tif 000003
【図２】
2005116055.tif 000004
【図３】
2005116055.tif 000005
【図４】
2005116055.tif 000006
【図５】
2005116055.tif 000007
【図６】
2005116055.tif 000008
【図７】
2005116055.tif 000009
【図８】
2005116055.tif 000010
【図９】
2005116055.tif 000011
【図１０】
2005116055.tif 000012
【図１１】
2005116055.tif 000013